(57)【要約】【課題】部品点数を増加させることなく、また見栄えを悪化させることなく、乗員が引っ張ることによるトレイの外れを防止できる車両のオープントレイ取付け構造を提供する【解決手段】インパネ１の、グローブボックス２を収容するボックス開口部１ａとオープントレイ３を収容するトレイ開口部１ｂとの間の部分１ｉに被係合片１ｊを形成し、前記オープントレイ３の下面６ｃ′の、前記グローブボックス２を開いたとき、前記ボックス開口部１ａから視認可能の部位で、かつトレイ開口部１ｂ寄りの部位に、前記被係合片１ｊに係合する下面係合爪６ｋを一体形成した。【選択図】図２
2014065451.tif 000002
【特許請求の範囲】
【請求項１】
車室内側の開口の下辺部に収納物の飛び出しを規制する凸条部を有するオープントレイをインパネのグローブボックス上方に配設し、該オープントレイの開口周縁部に設けられた係合部をインパネに形成された被係合部に係合させる車両のオープントレイ取付け構造において、
前記インパネの、前記グローブボックスを収容するボックス開口部と前記オープントレイを収容するトレイ開口部と間の部分に被係合部を形成し、
前記オープントレイの下面の、前記グローブボックスを開いたとき、前記ボックス開口部から視認可能の部位で、かつトレイ開口部寄りの部位に、前記被係合部に係合する係合部を一体形成した
ことを特徴とする車両のオープントレイ取付け構造。
【発明の詳細な説明】
【技術分野】
【０００１】
本発明は、車両のインストルメントパネル（以下、インパネと記す）にグローブボックスを設け、該グローブボックスの上方にオープントレイを取り付ける構造に関する。
【背景技術】
【０００２】
インパネに、車室内側に開口するオープントレイを取り付ける構造として、従来、トレイ開口の周縁に設けた係合爪をインパネコアの被係合孔に係合させるようにしたものがある（例えば特許文献１参照）。
【０００３】
またインパネにグローブボックスを設け、該グローブボックスの上方に、該グローブボックスの蓋の延長部分で開閉される凹状のボックスを配置し、該凹状ボックスの底部をＰＰメンバにビスで結合したものがある（例えば特許文献２参照）
【先行技術文献】
【特許文献】
【０００４】
【特許文献１】特開２０１０−１３７５８９号公報
【特許文献２】特開２００１−７１８１９号公報
【発明の概要】
【発明が解決しようとする課題】
【０００５】
ところで前記オープントレイでは、該トレイの車室内側開口の下辺部に収納物の飛び出しを規制する凸条部が形成されており、この凸条部を乗員が姿勢を保つ等のためにアシストグリップの如く引っ張る場合がある。前記特許文献１の従来構造のように、オープントレイをトレイ開口周縁に設けられた係合爪のみでインパネに固定している場合に、乗員が前記凸条部を引っ張ると、特にトレイを構成している樹脂が熱で軟化している場合は、該トレイがインパネから外れるおそれがある。
【０００６】
一方、前記特許文献２に記載されているように、オープントレイの奥底部を車体部材にビス止めすれば、乗員が引っ張っても容易に外れるのを防止できる。しかしこのようにすれば、部品点数が増加し、またビスが車室内側から見えるため見栄えが悪くなるといった問題が生じる。
【０００７】
本発明は、前記従来の実情に鑑みてなされたもので、部品点数を増加させることなく、また見栄えを悪化させることなく、乗員が引っ張ることによるトレイの外れを防止できる車両のオープントレイ取付け構造を提供することを課題としている。
【課題を解決するための手段】
【０００８】
本発明は、車室内側の開口の下辺部に収納物の飛び出しを規制する凸条部を有するオープントレイをインパネのグローブボックス上方に配設し、該オープントレイの開口周縁部に設けられた係合部をインパネに形成された被係合部に係合させる車両のオープントレイ取付け構造において、
前記インパネの、前記グローブボックスを収容するボックス開口部と前記オープントレイを収容するトレイ開口部と間の部分に被係合部を形成し、前記オープントレイの下面の、前記グローブボックスを開いたとき、前記ボックス開口部から視認可能の部位で、かつトレイ開口部寄りの部位に、前記被係合部に係合する係合部を一体形成したことを特徴としている。
【発明の効果】
【０００９】
本発明に係る車両のオープントレイ取付け構造によれば、トレイ下面の、トレイ開口部寄りの部位、つまりトレイの車室内側の開口の下辺部に形成された凸条部に近い部位に係合部を形成したので、乗員が凸条部を握って引っ張った場合、その握り部に近く、最も大きな引っ張り力が作用する位置で係合部及び被係合部が引っ張り力に対抗することとなり、オープントレイのインパネからの外れを確実に防止できる。
【００１０】
またオープントレイの下面に一体形成された係合部とインパネ側の被係合部とによりオープントレイの外れを防止しているので、ビス等の別部品を設ける必要がなく、部品点数の増加や見栄えの悪化を招くこともない。
【００１１】
さらにまた、オープントレイの下面の、グローブボックスを開いたときボックス開口部から視認可能の部位に係合部を形成したので、オープントレイを取り外す場合は、ボックス開口部から手を差し入れることで、前記係合部の被係合部への係合を容易に解除でき、オープントレイの取り外し作業を容易に行うことができる。
【図面の簡単な説明】
【００１２】
【図１】本発明の実施例１によるオープントレイ取付け構造が適用されるインパネの正面図である。
【図２】前記オープントレイ取付け構造の断面側面図である。
【図３】前記オープントレイの意匠パネル装着状態の正面図である。
【図４】前記オープントレイの意匠パネル装着状態の平面図である。
【図５】前記オープントレイ取付け構造の断面側面図（図３のV-V線断面図）である。
【図６】前記オープントレイ取付け構造の断面側面図(図３のVI-VI線断面図)である。
【図７】前記オープントレイ取付け構造の断面側面図(図3のVII-VII線断面図)である。
【図８】前記オープントレイ取付け構造の断面正面図(図3のVIII-VIII線断面図)である。
【発明を実施するための形態】
【００１３】
以下、本発明の実施の形態を添付図面に基づいて説明する。
【実施例１】
【００１４】
図１ないし図８は、本発明の実施例１による車両のオープントレイ取付け構造を説明するための図である。なお、本実施例で、左，右とは車室内側から車両前方を見た状態での左，右を意味する。
【００１５】
図において、１は車室内の前部に配設された樹脂製のインパネである。該インパネ１には各種計器等を取り付けるための開口が形成されている。前記インパネ１の左側下部には、樹脂製のグローブボックス２を取り付けるためのボックス開口部１ａが形成され、その上側には樹脂製のオープントレイ３を取り付けるためのトレイ開口部１ｂが形成され、さらにその上側にはエアバッグ４を取り付けるためのエアバッグ開口部１ｃが形成されている。なお、１ｄはメータパネルを取り付けるためのメータ開口部、１ｅは空調機の空気吹き出し口等を取り付ける空調開口部、１ｆはオーディオ機器等を取り付けるオーディオ開口部である。
【００１６】
前記グローブボックス２は、底壁２ｃと、該底壁２ｃの周囲に立設された周壁２ｂと、上端開口２ａとを有する箱状のものである。前記底壁２ｃと周壁２ｂとの奥コーナ部２ｄが図示しないヒンジ部材を介して前記インパネ１の支持部１ａ′に前後方向に回動可能に支持されている。前記グローブボックス２は、前記周壁２ｂの車室内側に配設された把手１ｎを手前に引くと、図示しないロック機構が解除されて手前側に回動し、この状態で物品を出し入れすることができる。
【００１７】
前記エアバッグ４は、インフレータと袋体からなるエアバッグモジュール４ａと、前記エアバッグ開口部１ｃを閉塞する蓋部材４ｂとから構成されている。前記エアバッグモジュール４ａの底部に取付けられたブラケット４ｃは、支持ブラケット５ａにボルト５ｂにより締め付け固定されており、該支持ブラケット５ａは、前記オープントレイ３の車両前方にて車幅方向に延び、図示しない左，右のピラー部材間に架け渡されたＰＰメンバ５に固定されている。
【００１８】
前記オープントレイ３は、車室内側に開口する横長のトレイ開口６ａを有する箱状のトレイ本体６と、該トレイ本体６のトレイ開口６ａ側端面を覆うように装着された意匠パネル７とで構成されている。
【００１９】
前記意匠パネル７は、前記インパネ１のトレイ開口部１ｂを塞ぐ外形状を有する大略平板状のものであり、また前記トレイ本体６のトレイ開口６ａと略同じ形状に設定されたパネル開口７ａを有する。
【００２０】
また前記トレイ本体６は、上トレイ半体６ｂと下トレイ半体６ｃからなる上下２分割構造となっている。そして前記上，下トレイ半体６ｂ，６ｃは、該両トレイ半体の合面６ｆ，６ｇ同士を当接させるとともに、上トレイ半体６ｂに形成された複数の係合爪６ｄを下トレイ半体６ｃに形成された複数の係合孔６ｅに係合させることにより結合され、一体化されている。また前記上トレイ半体６ｂには照明用ランプ９が配設されている。
【００２１】
前記トレイ本体６と意匠パネル７は、トレイ本体６のトレイ開口６ａ周縁部に形成されたフランジ６ｈから意匠パネル７のパネル開口７ａ周縁部に形成されたボス部７ｂにビス８ａをねじ込むことにより結合されている。
【００２２】
前記オープントレイ３の前記トレイ開口６ａ，パネル開口７ａの下辺部には、缶飲料やティッシュペーパー等の収容物Ｗが車室内側に飛び出すのを規制する凸条部３ａが形成されている。この凸条部３ａは前記下トレイ半体６ｃの下縁部６ｉを上方に屈曲延長するとともに、前記意匠パネル７のパネル開口７ａの下縁部７ｃを上方に延長し、両下縁部６ｉ，７ｃを前述のようにビス８ａで結合させることにより構成されている。
【００２３】
そして前記オープントレイ３は、前記意匠パネル７の裏面に車両前方に向けて突出するように形成されたパネル係合爪７ｄを前記インパネ１に形成されたインパネ係合孔１ｇに係合させるとともに、前記トレイ本体６の開口縁部に車両前方に向けて突出するように形成されたトレイ係合爪６ｊを前記インパネ１に形成されたインパネ係合孔１ｈに係合させることにより、前記インパネ１のトレイ開口部１ｂの周縁に取り付けられている。
【００２４】
ここで、前記パネル係合爪７ｄとインパネ係合孔１ｇ、及びトレイ係合爪６ｊとインパネ係合孔１ｈは、前記オープントレイ３をインパネ１のトレイ開口部１ｂ内に挿入し、前方に押し付けることにより係合し、また逆に後方に引っ張ることにより前記係合が解除され、前記オープントレイ３を車室内側に取り外すことができるようにその係合強さが設定されている。
【００２５】
前記トレイ本体６の下トレイ半体６ｃの下側には、引抜き不能型の係合部が形成されている。この係合部は前記下トレイ半体６ｃの下面６ｃ′に一体形成された下面係合爪６ｋと、これに係合する被係合片１ｊとで構成されている。
【００２６】
前記下面係合爪６ｋは、前記オープントレイ３の着脱時の挿入方向ａに対して略直交する係合面６ｍを有し、前記下面６ｃ′の、車幅方向略中央で、かつ前記グローブボックス２を手前側に回動させて開いたとき、前記ボックス開口部１ａから視認可能の部位で、さらに前記トレイ開口部１ｂ寄りの部位に位置している。
【００２７】
前記被係合片１ｊは、前記インパネ１の、前記グローブボックス２を収容するボックス開口部１ａと前記オープントレイ３を収容するトレイ開口部１ｂと間の部分１ｉに形成されている。この被係合片１ｊは前記挿入方向ａに沿って車両前方に延び、その先端面１ｋに前記下面係合爪６ｋの係合面６ｍが係合する。
【００２８】
そして図２に示すように、前記被係合片１ｊに連続するようにボス部１ｍが形成されており、該ボス部１ｍはインパネブラケット１ｐにビス８ｂで固定されている。このインパネブラケット１ｂは、前記ＰＰメンバ５に固定された支持ブラケット５ｄにボルト５ｃで固定されている。このようにして、前記ボス部１ｍひいては前記被係合片１ｊは、特に車両前後方向への移動を阻止できるように強固に支持されている。
【００２９】
本実施例に係るオープントレイ３をインパネ１に取り付けるには、まず、トレイ本体６と意匠パネル７をビス８ａで結合する。続いて、前記トレイ本体６を前記インパネ１のトレイ開口部１ｂ内に挿入するとともに、前方に押し込むことにより、意匠パネル７のパネル係合爪７ｄ，トレイ本体６のトレイ係合爪６ｊをそれぞれインパネ１のインパネ係合孔１ｇ，１ｈに係合させる。これと同時に下トレイ半体６ｃの下面６ｃ′に形成された下面係合爪６ｋが被係合片１ｊの先端部を乗り越えて前方に移動し、該下面係合爪６ｋの係合面６ｍが前記被係合片１ｊの先端面１ｋに係合する。
【００３０】
また前記エアバッグ４の着脱作業をスムーズに行うには、オープントレイ３を取り外すのが望ましく、これにより前記固定ボルト５ｂを工具Ｔにより容易に締込み又は抜き取ることができる。この場合、前記グローブボックス２を開位置に回動させ、または取り外した状態で、前記下面係合爪６ｋを手で上方に押し上げることにより係合面６ｍと被係合部１ｊの先端面１ｋとの係合を外す。これにより前記オープントレイ３をインパネ１のトレイ開口部１ｂから車室内側に取り外すことができる。
【００３１】
このように本実施例に係るオープントレイ３の取付け構造によれば、下トレイ半体６ｃの下面係合爪６ｋの係合面６ｍとインパネ１側の被係合片１ｊの先端面１ｋがオープントレイ３の着脱方向ａの力を受け止めるように係合しているので、乗員が前記凸条部３ａを車室内側に引っ張ってもオープントレイ３が容易に外れることはない。
【００３２】
しかも下トレイ半体６ｃの下面６ｃ′の、トレイ開口部１ｂ寄りの部位、つまりトレイ本体６の車室内側のトレイ開口６ａの下辺部に形成された凸条部３ａに近い部位に下面係合爪６ｋ及び被係合片１ｊを形成したので、乗員が凸条部３ａを握って引っ張った場合、その握り部に近く、最も大きな引っ張り力が作用する位置で下面係合爪６ｋ及び被係合片１ｊが引っ張り力に対抗することとなり、オープントレイ３がインパネ１から外れるのを確実に防止できる。
【００３３】
また、前記下面係合爪６ｋと係合する被係合片１ｊをボス部１ｍ，ブラケット１ｐ，５ｄを介してＰＰメンバ５に接続したので、前記被係合片１ｊの支持剛性を高めることができ、この点からもオープントレイ３がインパネ１から外れるのを防止できる。
【００３４】
またオープントレイ３の下面６ｃ′に一体形成された下面係合爪６ｋ及び被係合片１ｊによりオープントレイ３の外れを防止しているので、ビス等の別部品を設ける必要がなく、部品点数の増加や見栄えの悪化を招くこともない。
【００３５】
さらにまた、オープントレイ３の下面６ｃ′の、グローブボックス２を開いたときボックス開口部１ａから視認可能の部位に下面係合爪６ｋ及び被係合片１ｊを形成したので、オープントレイ３を取り外す場合は、前記下面係合爪６ｋを手で上方に押し上げることで、該下面係合爪６ｋの被係合片１ｊへの係合を容易に解除でき、オープントレイ３の取り外し作業を容易に行うことができる。
【００３６】
また前記実施例では、オープントレイ３をトレイ本体６と意匠パネル７とで構成したので、樹脂成形時の型構造上の制約を抑制でき、デザイン上の自由度を拡大できる。さらにまた、トレイ本体６を上トレイ半体６ｂと下トレイ半体６ｃとの二分割構造としたので、さらにデザイン上の自由度を拡大できる。
【符号の説明】
【００３７】
３  オープントレイ
３ａ  凸条部
１  インパネ
１ａ  ボックス開口部
１ｂ  トレイ開口部
１ｇ，１ｈ  インパネ係合孔（インパネに形成された被係合部）
１ｉ  インパネの間の部分
１ｊ  被係合片（被係合部）
２  グローブボックス
６ａ  トレイ開口
６ｃ′  下面
６ｊ，７ｄ  トレイ係合爪，パネル係合爪（オープントレイの開口周縁部の係合部）
６ｋ  下面係合爪（係合部）
Ｗ  収納物
【図１】
2014065451.tif 000003
【図２】
2014065451.tif 000004
【図３】
2014065451.tif 000005
【図４】
2014065451.tif 000006
【図５】
2014065451.tif 000007
【図６】
2014065451.tif 000008
【図７】
2014065451.tif 000009
【図８】
2014065451.tif 000010
【手続補正書】
【提出日】平成24年10月12日(2012.10.12)
【手続補正１】
【補正対象書類名】図面
【補正対象項目名】全図
【補正方法】変更
【補正の内容】
【図１】
2014065451.tif 000011
【図２】
2014065451.tif 000012
【図３】
2014065451.tif 000013
【図４】
2014065451.tif 000014
【図５】
2014065451.tif 000015
【図６】
2014065451.tif 000016
【図７】
2014065451.tif 000017
【図８】
2014065451.tif 000018